(57)【要約】      （修正有）【課題】グリーン上のパッティングに於て、利き手の右手機能をフル活用させ、方向と距離を同時コントロールする為の、オープングリップ用パタークラブを提供する。【解決手段】目標に対し、正面向きでシンプルなアドレスのもと、オープングリップにより、左右両手機能を合理的に活性化した。クラブの形状は、Ｔ字キャッシュイン型を基準に、グリップ１の長さを１．５倍、太さ１．１倍のジャンボ型として、クラブの重心をグリップ側に移動。尚、平ら面の位置は、ヘッドフェースの裏側に回して、手の平とグリップのより良い関係を醸成した。また目標に向かってボールヒットを正確にする為、ライ角は８０度まで立て、ヘッド３のトップライン上に一本線で、フェース裏面に芯の位置を印して、直視による右手のコントロール操作を容易にした。【選択図】図１
0003189931.tif 000002
【実用新案登録請求の範囲】
【請求項１】
ブレードタイプＴ字キャッシュイン形状のレギュラーサイズ３２〜３５インチのパタークラブを基にして、グリップ（１）の長さは１．５倍の１５〜１７インチで、全体の長さの約半分程度、太さの直径を１．１倍の１．１〜１．２インチ程度として、クラブ重心を全体の長さの約１割グリップ（１）側に移動し、尚、平面（１ａ）の位置は、レギュラータイプのトウ側（３ｃ）より９０度右方向に回し、ヘッドフェースのボールヒット面（３ａ）の裏側（３ｂ）方向としたオープングリップ用パタークラブ。
【請求項２】
ライ角（４）は８０度として、シャフト（２）とトップライン（３ｆ）で作る角度（５）を直角の９０度とした請求項１記載のオープングリップ用パタークラブ。
【請求項３】
ヘッドフェースのロフト角（３ｇ）は０〜３度とし、トップライン（３ｆ）上にフェースと直角に一本線（３ｈ）で、フェース裏側（３ｂ）に芯（３ｉ）の位置を印した請求項１、２記載のオープングリップ用パタークラブ。
【請求項４】
シャフト（２）とヘッド（３）の接続部分の取付位置は、ヒール側（３ｄ）いっぱいのＬ字型から中央センター部分までを選択可能の範囲とした請求項１、２、３記載のオープングリップ用パタークラブ。
【考案の詳細な説明】
【技術分野】
【０００１】  本考案は、左右両手の機能を的確に掌握して、シンプルなアドレスとスタンスのもと合理的なオープングリップで、グリーン上転球で、目標に対し方向と距離を同時にコントロールする為の、パタークラブに関するものである。
【背景技術】
【０００２】  グリーン上のパッティングに於て、その基本となるアドレスとスタンスの取り方及びグリップの握り方は、概ねドライバーを代表とするウッドクラブやアイアンクラブ使用時と同一次元で捕えられている。
その為に、パットの線に対し直角方向にアドレスとスタンスを向け、グリップの方法は両掌接触握で、そのクラブの形状はピン型、マレット型を改良、改善、発展させたものがそのほとんどを占めている。【０００３】  一部短尺で正面向片手打ちのプレースタイルも考案されているが、現実性に乏しく、一方最近では長尺２グリップ・中尺ロンググリップを使用して、オープングリップで体の一部にクラブを接触固定させて、その実績に顕著なものも見られているが、いずれも全身の運動機能の効率的活用という点で充分であるとは言えない。又直近ではルール抵触の問題もあり気にかかるところである。
【先行技術文献】
【特許文献】
【０００４】
【特許文献１】特開  平１１−１９７２７５号  公報
【特許文献２】特開  平１１−２２１３０４号  公報
【特許文献３】実用新案  第３０６８４９３号  公報
【特許文献４】特開  平１１−１３７７４４号  公報
【特許文献５】特表  ２００４−５１３６８３  公報
【非特許文献】
【０００５】
【非特許文献１】ゴルフダイジェスト社  月刊ゴルフダイジェストＧＯＬＦ  ２０１３．６月号  Ｐ２４１
【非特許文献２】ゴルフダイジェスト社  月刊ゴルフダイジェストＧＯＬＦ  ２０１３．７月号  Ｐ２３０、２４０
【非特許文献３】ゴルフダイジェスト社  月刊ゴルフダイジェストＧＯＬＦ  ２０１３．８月号  Ｐ９４、９５
【非特許文献４】祥伝社  ＮＯＮＢＯＯＫ  頭脳のゴルフ  Ｓ．６３．６．１  Ｐ１９５
【考案の概要】
【考案が解決しようとする課題】
【０００６】  パッティングの場合は、ウッドやアイアンクラブ等の様に空中で飛球をコントロールして、比較的大きな目標をターゲットにするプレースタイルと異なり、地上のグリーン上で、複雑な形状と芝のコンディション等を考慮しながら、小さな目標のカップへ正確にボールコントロールをしなければならない。【０００７】  しかし、概ねどの教本等も含めて、基本のアドレスとそのスタンスの取り方及びグリップの握り方は、クラブの形状と相俟って、根本から問題があることに気づいてない様に思われる。【０００８】  特に、パットの線に対し直角向きのアドレスとスタンスでは、目標に対する転球の予想軌道ラインとボールの同時掌握は、死角の問題等もあり、一部の距離を除いてほとんど不可能である。【０００９】  現状では、センサー役の目で、それぞれ一旦コントロールセンターの脳へインプットして、改めてボールのみに目線とクラブ操作を集中し、目標に対する方向と距離の制御は、ライン読みと共に記憶と感覚だけを頼りにコントロールしていることが問題である。【００１０】  また、プレイヤーとクラブを繋ぐ唯一の接点である左右両手の機能掌握が不充分で、両掌接触握りでは左手の可動域と役割がむしろ障害となって、直接コントロールを主導する右手及び右掌が充分合理的に生かされてない様に思われる。
【課題を解決する為の手段】
【００１１】  根本の問題解決の為に、原点回帰・シンプルイズベストの考え方のものと、人体構造から見直し、その部分機能を追及し、その部分機能の合理的効果的な組立てと活用法を考案した。
【００１２】  考え方の基本．パッティングは両掌接触握りで遠くへボールを飛ばす事が主目的ではなく、転球で比較的短い距離をデリケートなコントロールが要求されるプレーである。
【００１３】  参考１．野球にバント戦法あり、投手の投球の動球をバッターボックス内でオープングリップで９０度のダイヤモンドグランド内へ、転球で目標に向けやや受動的な右掌キャッチング感覚で方向と距離をコントロールする。
これに対し、ゴルフにパッティングあり、グリーン上の止球を転球でカップを目標にパットの線の内側で、考案したオープングリップで、デリケートではあるが能動的に右掌主導で方向と距離を同時コントロールする。
【００１４】  参考２．シンプルな自然体で目標に対し正面向プレースタイルのイメージとして。
道具ありの場合  野球のバント・テニス・バトミントン・ビリヤード
道具なしの場合  カーリング・ビー玉・ボーリング・野球のアンダースロー等
【００１５】  参考３．基本の体勢作りとスタンスの取り方、構え方として。
空手・相撲・柔道・通常歩行スタイルまで範囲を広げ。
【００１６】  参考４．プレイヤーの手とクラブを繋ぐ唯一の接点、グリップの形状とその扱い易く支配し易いグリップのイメージとして。
野球のバント・グランドホッケー・長尺パタークラブ・長尺座敷箒・床ふきモップ等まで範囲を広げた。
【００１７】  上述００１４〜００１８を参考にして、本考案は、目標に対し正面向き、シンプルなアドレスとスタンスのもと、シンプルなパタークラブで、オープングリップにより、左右両手機能を合理的に活性化し、利き手である右手及び右掌のより効果的なコントロール操作を容易にしたことである。
【００１８】  この為のクラブの形状は、ブレードタイプのＴ字キャッシュイン型レギュラーサイズ３２〜３５インチを基準に、グリップの長さは１．５倍の１５〜１７インチ、太さの直径を１．１倍の１．１〜１．２インチのジャンボ型として、クラブの重心を全体の長さの約１割程度グリップ側に移動し、また平ら面の位置は、レギュラータイプのヘッドのトップ方向より９０度右側に回しヘッドフェースの裏側にして、掌とグリップのよりプレーし易い関係を醸成した。
【００１９】  また、ライ角はルール限度の８０度まで立て、シャフトとヘッドのトップラインで作る角度を直角の９０度とし、尚、ヘッドフェースのロフト角は０〜３度として、トップライン上には一本線でフェース裏面には、それぞれ芯の位置を印して、直視による右手のコントロール操作をより容易にした。
【００２０】  また、クラブのシャフトとヘッドの取付位置は、そのプレースタイルの違い等により、ヒール側からセンター部分までは充分可能性の範囲とした。
【００２１】  また、クラブ全体の長さは、身長差等により下限２５インチ程度までは、グリップの長さをその半分程度に保ち重心バランスを維持すれば充分可能性の範囲とした。また、グリップの太さもレギュラーサイズ並みの直径１インチ程度までは充分可能性の範囲である。
【００２２】  尚、基準としたパタークラブの基準数値を下記に記す。
【００２３】  全体の長さ  ３２〜３５インチ
総重量  ４５０〜５５０ｇ
グリップの長さ  １０インチ
グリップの直径  約１インチ
グリップの平ら面の位置  ヘッドのトウ側
ライ角  ７０〜７３度
ロフト角  ０〜５度
【００２４】  また、改良改善した本考案のオープングリップ用パタークラブの主要な部分の数値を下記に記す。
【００２５】  全体の長さ  ３０〜３５インチ程度
グリップの長さ  １５〜１７インチ  全長の２分の１程度
グリップの太さ直径  １．１〜１．２インチ程度
グリップの平ら面の位置  ヘッドフェースの裏側
ライ角  ８０度のルール限度いっぱい
ロフト角  ０〜３度程度
総重量  ４７０〜５７０ｇ程度
【考案の効果】
【００２６】  結果、万人向けで易しくシンプルなパッティングスタイル（図１２、１３）と、シンプルなパタークラブ（請求項１、２、３）が完成した。
その効果を下記に記す。
【００２７】  目標に対し正面向き、シンプルなアドレスとスタンス図１２（イ、ロ）で、コントロールし易い目線が確保され、シンプルなオープングリップ図１２（ハ）により、左右両手機能の合理的な活性化に成功した。
【００２８】  因って、センサー役の目の目視範囲の掌握が容易になり、カップとパットの線（６）・目標と転球の予想軌道ライン、及びボールに対し、方向と距離の同時掌握が可能となった。
【００２９】  また、オープングリップ図１２（ハ）によって、左手のみでクラブ確保・固定が容易になり、利き手の右手はグリップの平ら面（１ａ）を通じて掌と同一方向にヘッドフェースのボールヒット面（３ａ）が重なり、コントロール操作のイメージアップに繋がった。
【００３０】  また、正面向プレースタイル及び左手のみでのクラブ確保・固定が可能になりヒッカケやダフリの解消にも繋がった。特にボールとクラブヘッドの芯（３ｉ）合わせをした場合、直径約４ｃｍのボールとヘッドの縦巾約２〜２．５ｃｍの差の約半分０．７〜０．８ｃｍが、ヘッドのソール（３ｅ）部分とグリーン上の芝の間のゆとりとなりダフリの解消をしたことである。
【００３１】  結果、目的の合理的な右手主導で、グリーン上の目標に対し転球で方向と距離の同時コントロールが可能となり、ホールイン確率アップに成功した。
【００３２】  副産物として、手首を含む掌と指の機能や可動域の掌握は、そのグリップの仕方の応用により、グリーン周りのショートアプローチを中心に、フェアーウェイの障害物を目前にしたトラブル処理等、他のクラブにも活用できる可能性が充分あることを発見した。
この事により、グリップの仕方によるクラブ形状の改良・改善の余地が広がる可能性が充分出てきたことである。
【図面の簡単な説明】
【００３３】
【図１】  本考案のゴルフパターの正面図である
【図２】  図１の背面図である
【図３】  図１の右側面図である
【図４】  図１の平面図である
【図５】  図１の底面図である
【図６】  図１のグリップＡ−Ａ部分断面拡大図である
【図７】  図４のグリップＢ−Ｂ部分拡大図である
【図８】  図１のＣ−Ｃ部分拡大図である
【図９】  図８のＤ−Ｄ部分断面図である
【図１０】  図４のＥ−Ｅ部分拡大図である
【図１１】  図２のＦ−Ｆ部分拡大図である
【図１２】  （イ）本考案のボールヒット直前の使用参考図である  （ロ）本考案のボールヒット直後の使用参考図である  （ハ）本考案のオープングリップの参考図である
【図１３】  （イ）本考案の昇り勾配や長目の距離の場合の使用参考図である  （ロ）本考案の下り勾配や短目の距離の場合の使用参考図である
【考案を実施するための形態】
【００３４】  以下、本考案を実施する形態を図１２・１３を中心に説明する。
【実施例１】
【００３５】  目標に対し正面を向き、パットの線（６）の内側で出来るだけ線に接近する。結果、目線のほぼ真下にボールが近づき直視されコントロール操作を容易にする。【００３６】  自然体のシンプルなアドレス図１２（イ、ロ）で腰は軽く落とし、膝の自然でゆるやかな屈折によってバランスを確保する。【００３７】  目線確保の為のスタンスの取り方図１２（イ、ロ）は、右利きの場合は左足前方右足後方でつま先はややオープンスタンスにする。尚個人差による多少の違いは充分可能性の範囲である。
【実施例２】
【００３８】  上記、実施例１の体勢のもと、部分構造の一つ、腕の先の手、掌の中の平と指によって、クラブを繋げるグリップの握り方とそのクラブの握り易いグリップの改良・改善を追及した。その結果、左右両手それぞれの機能の的確な掌握により、グリップの方法としてオープングリップ図１２（ハ）が最適である事を発見した。
その為のクラブの形状が請求項（１、２、３）である。【００３９】  以下オープングリップによる実施例を列挙する。【００４０】  実施例１の体勢のもと、目のセンサーで収集・収積したグリーンの形状及び芝目のコンディション等の情報を、脳のコントロールセンターへインプットする。打球の強弱調整による球筋を想定し、転球の予想軌道ラインをイメージして目標を決める。【００４１】  図１２・１３参照．グリップの上部を左掌で握り、クラブを確保・固定し、利き手の右掌は指先下向きで下部を掌握する。【００４２】  クラブの平ら面（１ａ）を通して、右掌と同一方向にヘッドフェースのボールヒット面（３ａ）が重なる事をイメージして、掌、指先に全神経を集中して、出来るだけ下半身リードの体全体でクラブを操作、コントロールする。
因って、目的のホールイン確立アップが可能となった。【００４３】  尚個人差による、左右両掌のグリップの強弱によるコントロール操作やスタンスの取り方の違いは、それぞれ充分可能性の範囲である。【００４４】  また、長目の距離及び昇り勾配等、強めのインパクトが要求される場合図１３（イ）は、両掌共確り握りで手首も固定する。小指側に神経集中で自然に両脇が締まる。出来るだけ下半身リードの体全体で転球をコントロールする。【００４５】  短目の距離及び下り勾配等、デリケートで柔かい球筋が要求される場合図１３（ロ）は、左掌で上部を指先中心で軽く支え・又は握り、右掌は軽く接触・又は開き加減の握りで掌握し、利き手右の中指を中心とした掌に全神経を集中し、転球をコントロールする。
尚短い距離の場合も前記のプレースタイルは充分可能性の範囲である。
【産業上の利用可能性】
【００４６】  プレイヤー自身の両手機能の合理的な活性化によるクラブ支配で、シンプルなブレードタイプのＴ字キャッシュイン型に復活の可能性が充分あり、その形状を含む材質、意匠等改良・改善の余地は大である。【００４７】  また、オープングリップ図１２（ハ）による利き手右手機能の活性化により、アイアンクラブの形状にも改良・改善の余地が広がった。
【符号の説明】
【００４８】１    グリップ
１ａ  グリップの平ら面
２    シャフト
３    ヘッド
３ａ  ヘッドフェース表、ボールヒット面
３ｂ  ヘッドフェース裏面
３ｃ  トウ
３ｄ  ヒール
３ｅ  ソール
３ｆ  トップライン
３ｇ  ロフト角
３ｈ  芯の位置の真上
３ｉ  芯の位置
４    ライ角
５    シャフト２とトップライン３ｆで作る角度
６    パットの線
【図１】
0003189931.tif 000003
【図２】
0003189931.tif 000004
【図３】
0003189931.tif 000005
【図４】
0003189931.tif 000006
【図５】
0003189931.tif 000007
【図６】
0003189931.tif 000008
【図７】
0003189931.tif 000009
【図８】
0003189931.tif 000010
【図９】
0003189931.tif 000011
【図１０】
0003189931.tif 000012
【図１１】
0003189931.tif 000013
【図１２】
0003189931.tif 000014
【図１３】
0003189931.tif 000015
【手続補正書】
【提出日】平成26年1月24日(2014.1.24)
【手続補正１】
【補正対象書類名】実用新案登録請求の範囲
【補正対象項目名】全文
【補正方法】変更
【補正の内容】
【実用新案登録請求の範囲】
【請求項１】
ブレードタイプＴ字キャッシュイン形状のレギュラーサイズ３２〜３５インチのパタークラブを基にして、グリップ（１）の長さは１．５倍の１５〜１７インチで、太さの直径を１．１倍の１．１〜１．２インチとして、クラブの重心をグリップ（１）側に移動し、平面（１ａ）の位置は、レギュラータイプのトウ側（３ｃ）より９０度右方向に回し、ヘッドフェースのボールヒット面（３ａ）の裏側（３ｂ）方向としたオープングリップ用パタークラブ。
【請求項２】
ライ角（４）は８０度として、シャフト（２）とトップライン（３ｆ）で作る角度（５）を直角の９０度とした請求項１記載のオープングリップ用パタークラブ。
【請求項３】
ヘッドフェースのロフト角（３ｇ）は０〜３度とし、トップライン（３ｆ）上にフェースと直角に一本線（３ｈ）で、芯の位置を示し、フェース裏側（３ｂ）にも芯（３１）の位置を印した請求項１又は２記載のオープングリップ用パタークラブ。
【請求項４】
シャフト（２）とヘッド（３）の接続部分の取付位置は、ヘット（３）のトップライン（３ｆ）上のヒール（３ｄ）側〜中央までとした請求項１〜３のいずれか一項に記載のオープングリップ用パタークラブ。